(57)【特許請求の範囲】
【請求項１】
前面に本体開口が形成され、前記本体開口から奥側に延びる側部を有して前記本体開口と連通する中空部が形成され、前記側部には内側に突出する突起が設けられた本体部と、
前記本体部の前記本体開口に取り付けられた枠部と、
前記中空部に収納され、押し釦を押下されることによって火災信号を発信する押下式スイッチと、
前記中空部において前記押し釦の前方に配置されて前記本体部の前記本体開口を遮蔽して前記押し釦を保護すると共に前記押し釦と共に押下される保護部と、
基端部が前記保護部に取り付けられ、前記基端部から外側に延びて、接触面が前記側部に当たるように配置されて前記保護部を支持し、弾性変形する複数の支持部と、を備え、
前記支持部の先端部は、前記保護部が前記押し釦側に押下されることによって前記枠部側から前記奥側に前記突起を乗り越えて保持され、前記保護部が前記押し釦側に再度押下され、前記押し釦が復旧することによって前記奥側から前記枠部側に前記突起を乗り越えるものである
ことを特徴とする発信機。
【請求項２】
前記支持部は、湾曲している
ことを特徴とする請求項１記載の発信機。
【請求項３】
前記支持部は、前記基端部から放物線を描いて外側に広がって変曲点に至り、前記変曲点から内側に狭まって放物線を描いて前記先端部に至るものである
ことを特徴とする請求項２記載の発信機。
【請求項４】
前記突起は、前記側部の１点から周方向１周にわたって設けられている
ことを特徴とする請求項１〜３のいずれか１項に記載の発信機。
【請求項５】
前記側部は、前記枠部から離れるに従って縮径している
ことを特徴とする請求項１〜４のいずれか１項に記載の発信機。
【請求項６】
前記枠部と前記保護部とを接続し、前記枠部側に向かって縮んでいる弾性部を更に備え、
前記弾性部は、
前記保護部が前記押し釦側に押下されることによって、前記押し釦側に伸びた状態が維持され、前記保護部が前記押し釦側に更に押下されることによって、前記押し釦側に伸びた状態が解除されて前記枠部側に向かって縮むものである
ことを特徴とする請求項１〜５のいずれか１項に記載の発信機。
【発明の詳細な説明】
【技術分野】
【０００１】
本発明は、火災信号を発信する発信機に関する。
【背景技術】
【０００２】
従来、トンネルの内部に取り付けられた防水型の発信機が知られている。発信機は、火災を発見した人によって押下されると、管理室に設置された防災盤等に火災信号を発信する。特許文献１には、発信機の内部に応答表示灯が設けられた防災装置が開示されており、特許文献１の防災装置は、例えばトンネルの内部の消火栓等に用いられる。特許文献１の発信機は、取付部材及び枠部材との間の中空部に押し釦スイッチを押下するスイッチノブが収納されており、スイッチノブの前方には、枠部材に取り付けられた保護板が配置されている。火災を発見した人は、保護板を押下することによって、保護板を介してスイッチノブを押下する。その際、保護板は、枠部材から外れて、取付部材の内部に落下して留まる。
【先行技術文献】
【特許文献】
【０００３】
【特許文献１】特開２０１１−８６２２４号公報（段落［００５６］及び図９（Ｂ））
【発明の概要】
【発明が解決しようとする課題】
【０００４】
しかしながら、特許文献１に開示された防災装置は、火災信号が発信された後の復旧作業において、枠部材を取り外して保護板を取り出し、保護板を再度枠部材に装着して、枠部材を取り付ける必要がある。このように、特許文献１は、復旧時の作業が煩雑である。
なお、保護板は、発信機が押下されたことが目視で分かるように、外れたり、破れたりする等、押下される前とは、状態が変化することが求められている。
【０００５】
本発明は、上記のような課題を背景としてなされたもので、復旧時の作業が簡易な発信機を提供するものである。
【課題を解決するための手段】
【０００６】
本発明に係る発信機は、前面に本体開口が形成され、本体開口から奥側に延びる側部を有して本体開口と連通する中空部が形成され、側部には内側に突出する突起が設けられた本体部と、本体部の本体開口に取り付けられた枠部と、中空部に収納され、押し釦を押下されることによって火災信号を発信する押下式スイッチと、中空部において押し釦の前方に配置されて本体部の本体開口を遮蔽して押し釦を保護すると共に押し釦と共に押下される保護部と、基端部が保護部に取り付けられ、基端部から外側に延びて、接触面が側部に当たるように配置されて保護部を支持し、弾性変形する複数の支持部と、を備え、支持部の先端部は、保護部が押し釦側に押下されることによって枠部側から奥側に突起を乗り越えて保持され、保護部が押し釦側に再度押下され、押し釦が復旧することによって奥側から枠部側に突起を乗り越えるものであることを特徴とする。
【発明の効果】
【０００７】
本発明によれば、保護部は、支持部によって支持されている。そして、支持部の先端部は、保護部が押し釦側に押下されて枠部側から奥側に突起を乗り越えても、保護部が押し釦側に再度押下されることによって奥側から枠部側に突起を乗り越える。これにより、保護部は元の位置に戻る。このように、復旧時に、枠部を取り外す必要がないため、復旧時の作業が簡易である。
【図面の簡単な説明】
【０００８】
【図１】本発明の実施の形態１における防災設備２を示す模式図である。
【図２】本発明の実施の形態１に係る発信機１を示す正面図である。
【図３】本発明の実施の形態１に係る発信機１を示す側面断面図である。
【図４】本発明の実施の形態１における弾性部２９の動作を示す側面断面図である。
【図５】本発明の実施の形態１に係る発信機１の動作を示す側面断面図である。
【図６】本発明の実施の形態１に係る発信機１の動作を示す側面断面図である。
【図７】本発明の実施の形態１に係る発信機１の動作を示す側面断面図である。
【図８】本発明の実施の形態１に係る発信機１の動作を示す側面断面図である。
【図９】本発明の実施の形態１に係る発信機１の動作を示す側面断面図である。
【発明を実施するための形態】
【０００９】
実施の形態１．
以下、本発明に係る発信機の実施の形態について、図面を参照しながら説明する。なお、以下に説明する実施の形態によって本発明が限定されるものではない。また、図１を含め、以下の図面では各構成部材の大きさの関係が実際のものとは異なる場合がある。図１は、本発明の実施の形態１における防災設備２を示す模式図である。この図１に基づいて、防災設備２について説明する。図１に示すように、防災設備２は、例えばトンネルの内部に設置されるものであり、筐体３と、扉４と、発信機１とを有している。筐体３は、例えば直方体状をなしており、内部に消火器又は消火栓等が設置されている。扉４は、筐体３の前面に取り付けられており、人が取っ手４ａを引いて扉４を開くことによって、筐体３の内部に設置された消火器又は消火栓等を使用することができる。発信機１は、筐体３の前面において扉４の隣に設けられている。
【００１０】
図２は、本発明の実施の形態１に係る発信機１を示す正面図である。図２に示すように、発信機１は、例えば火災を発見した人によって押下されると、管理室等に設置された防災盤に火災信号を発信する。発信機１は、円状をなしており、防災設備２の筐体３に取り付けられている。発信機１の外周に配置された化粧板２７には、周状に形成された４個の取付穴２７ａが設けられている。防災設備２の筐体３において、発信機１が取り付けられる位置の裏面側には、４個のボルト（図示せず）が周状に溶接されており、発信機１が筐体３の内部から筐体３に取り付けられる際、化粧板２７の取付穴２７ａにボルトが挿入され、ナット（図示せず）で固定される。これにより、発信機１が筐体３に取り付けられる。なお、発信機１の中央に配置された保護部２６には「強く押す」といった文字が記載されている。
【００１１】
図３は、本発明の実施の形態１に係る発信機１を示す側面断面図である。発信機１は、後方側の発信部１１と前方側の操作部２１と、発信部１１と操作部２１とにより格納された押下式スイッチ５とを有している。
押下式スイッチ５は、防災盤等と電気的に接続するための端子部３０を有するスイッチ部１４と、押下することでスイッチ部１４のオン又はオフを切り替える押し釦２４とを備え、後述するベース１２に取り付けられている。
発信部１１は、火災信号を発信するものであり、ベース１２と、押さえ板１３と、押下式スイッチ５のスイッチ部１４と、カバー１５とを有している。ベース１２は、操作部２１に取り付けられた円状の板部材であり、例えばＡＢＳ樹脂からなる。押さえ板１３は、カバー１５をベース１２に押える環状の板部材であり、例えばステンレスからなる。カバー１５は、螺子１６によってベース１２に取り付けられた有底筒状の部材であり、スイッチ部１４を覆って保護するものである。カバー１５は、例えばクロロプレンゴムからなる。
【００１２】
操作部２１は、本体部２２と、枠部２３と、押下式スイッチ５の押し釦２４と、キャップ２５と、保護部２６と、支持部２８と、弾性部２９と、化粧板２７とを有している。本体部２２は、防災設備２の開口３ａに取り付けられ、前面に本体開口２２ｄが形成され、開口３ａから離れる方向（本体部２２の奥側）に延びる側部２２ｂを有して本体開口２２ｄと連通する中空部２２ａが形成された有底円筒状の部材であり、その底面には押し釦２４が貫通する貫通穴を有している。本体部２２の側部２２ｂは、枠部２３から離れるに従って縮径している。即ち、側部２２ｂは、テーパを有している。なお、本体部２２の側部２２ｂは、枠部２３から水平に延びるものであってもよい。更に、本体部２２の側部２２ｂの内面のみが、枠部２３から離れるに従って縮径し、本体部２２の側部２２ｂの外面は、枠部２３から水平に延びるものであってもよい。本体部２２の側部２２ｂには、本体部２２の内側に突出する突起２２ｃが設けられている。突起２２ｃは、側部２２ｂの１点から周方向１周にわたって設けられている。なお、突起２２ｃは、周方向の一部に設けられていてもよい。本体部２２は、例えばステンレスからなり、例えばニトリルゴムからなるパッキン１２ａを介してベース１２に取り付けられている。枠部２３は、本体開口２２ｄに取り付けられて、本体部２２との間に中空部２２ａを形成し、中央に開口する枠開口２３ａが形成された環状の部材である。枠部２３は、例えばポリカーボネート樹脂からなり、本体部２２に取り付けられている。押し釦２４は、中空部２２ａに収納され、押下されることによって火災信号を発信するものである。
【００１３】
押下式スイッチ５は、スイッチ部１４と押し釦２４とで構成されており、押し釦２４が押下されると、押下された押し釦２４の一部は、スイッチ部１４の内部に挿入される。これにより、押し釦２４がオンされた状態となる。再度、押し釦２４が押下されると、押下された押し釦２４が元の位置に戻りオフの状態となる。本実施の形態１では、押し釦２４が押下されると、オンされた状態が保持される自己保持型スイッチについて例示している。自己保持型スイッチでは、押し釦２４が一度オンされると、押し釦２４がスイッチ部１４の内部に挿入され、押し釦２４の押下が解除されて（指を離して）も、押し釦２４がスイッチ部１４の内部に挿入されたまま（オンを保持）である。押し釦２４が再度押下されると、押し釦２４がスイッチ部１４の内部から突出し、オフ状態に戻る。つまり、押下式スイッチ５において、押し釦２４は押下されるたびに、スイッチ部１４の内部に押し込まれた状態とスイッチ部１４から突出した状態とを交互に保持する。
【００１４】
キャップ２５は、押し釦２４に沿った形状の部材であり、押し釦２４を覆って保護するものである。キャップ２５は、例えばニトリルゴムからなり、押し釦２４が押し込まれると、それに対応して変形する。
発信機１は、押下式スイッチ５をキャップ２５、本体部２２、パッキン１２ａ、ベース１２及びカバー１５で覆うことにより、防水・防塵構造としている。
【００１５】
保護部２６は、中空部２２ａにおいて押し釦２４の前方に配置されて本体部２２の本体開口２２ｄを遮蔽して押し釦２４を保護すると共に押し釦２４の押下に利用されるものである。保護部２６は、例えば透光性を有するメタクリル樹脂からなり、円状をなしている。保護部２６は、防災設備２の開口３ａ及び枠部２３の枠開口２３ａを閉じている。支持部２８は、基端部２８ａが保護部２６に取り付けられて保護部２６を支持し、基端部２８ａから外側に延びて、接触面２８ｄが側部２２ｂに当たるように配置され、弾性変形するものである。
なお、保護部２６の形状は円状に限定されるものではなく、例えば正方形でもよい。
【００１６】
支持部２８は、保護部２６を支持するものであり、例えば金属からなり弾性変形する細いバネ部材である。支持部２８は、湾曲しており、例えば基端部２８ａから放物線を描いて外側に広がって変曲点２８ｃに至り、変曲点２８ｃから内側に狭まって放物線を描いて先端部２８ｂに至るものである。発信機１が火災信号を発信していない監視状態において、支持部２８の先端部２８ｂは、本体部２２の側部２２ｂの突起２２ｃに当たっており、これにより、保護部２６が位置決めされている。また、発信機１が火災信号を発信している発信状態において、保護部２６が押し釦２４側に押下されることによって、支持部２８の先端部２８ｂは、枠部２３側から本体部２２の奥側に本体部２２の側部２２ｂの突起２２ｃを乗り越え、変曲点２８ｃが突起２２ｃを乗り越え当接して側部２２ｂに保持される。なお、発信機１が火災信号を発信した後に復旧する場合、保護部２６が押し釦２４側に再度押下されることによって、押し釦２４が突出し、保護部２６を押すことで支持部２８の変曲点２８ｃ及び先端部２８ｂが枠部２３側に移動して本体部２２の奥側から枠部２３側に突起２２ｃを乗り越えて、監視状態における位置と同様の位置に戻る。また、支持部２８は、複数設けられており、本実施の形態１では、保護部２６の周縁部に同一円周上に等間隔を空けて３個設けられているが、２個以上設けられていればよく、４個以上設けられてもよい。
【００１７】
図４は、本発明の実施の形態１における弾性部２９の動作を示す側面断面図である。図４（ａ）は、弾性部２９が縮んだ状態を示す図、図４（ｂ）は、弾性部２９が伸びた状態を示す図である。図４（ａ）に示すように、弾性部２９は、枠部２３と保護部２６とを接続し、枠部２３側に向かって縮んでいる例えばニトリルゴムからなるダイヤフラムである。弾性部２９は、例えば環状の部材であり、外周端部が枠部２３に取り付けられ、内周端部に保護部２６が取り付けられている。発信機１が火災信号を発信していない監視状態において、弾性部２９は、外周端部から押し釦２４側に延び、頂点２９ａで屈曲して枠部２３側に延び、内周端部に至る。
【００１８】
一方、発信機１が火災信号を発信している発信状態（押し釦２４がオンの状態）において、弾性部２９が伸び、図４（ｂ）に示すように、弾性部２９は、頂点２９ａからの屈曲が解除され、そのまま押し釦２４側に延びる。これにより、保護部２６も、弾性部２９と共に押し釦２４側に移動する。このように、弾性部２９は、保護部２６が押し釦２４側に押下されることによって、押し釦２４側に伸びた状態が維持される。なお、発信機１が火災信号を発信した後に復旧する場合、保護部２６が押し釦２４側に再度押下され、押し釦２４が元の位置に突出することによって、弾性部２９の伸びが解除され、図４（ａ）に示すように、頂点２９ａで屈曲して枠部２３側に延び、内周端部に至る形状に戻る。このように、弾性部２９は、保護部２６が押し釦２４側に押下され、その後再度押下されることによって、押し釦２４側に伸びた状態が解除されて枠部２３側に向かって縮むものである。このとき、支持部２８は枠部２３側に向かう方向に付勢している。
【００１９】
化粧板２７は、枠部２３の外周を覆う環状の部材であり、防災設備２の筐体３に取り付けられることによって、防災設備２の内部の露出を防止するものである。化粧板２７の中央は開口されており、これにより、人は、防災設備２の外側から保護部２６を押下することができる。
【００２０】
図５〜図９は、本発明の実施の形態１に係る発信機１の動作を示す側面断面図である。次に、発信機１の動作について説明する。図５は、保護部２６が押下され始める状態を示す図である。図５に示すように、発信機１が監視状態にある場合において、火災等が発生した場合、火災等を発見した人は、先ず、枠部２３の枠開口２３ａに指を差し込み、指で保護部２６を押下する。このとき、保護部２６と共に支持部２８も押し釦２４側に移動するが、支持部２８の先端部２８ｂが本体部２２の側部２２ｂの突起２２ｃに引っ掛かり、保護部２６及び支持部２８が押し釦２４側に移動しようとする力に抵抗する。なお、突起２２ｃは、側部２２ｂの１点から周方向１周にわたって設けられているため、支持部２８の先端部２８ｂが突起２２ｃに引っ掛かり易い。
【００２１】
図６は、押下された保護部２６が押し釦２４を押下する状態を示す図である。図６に示すように、人は、指で保護部２６を更に押下する。このとき、支持部２８の先端部２８ｂは、枠部２３側から本体部２２の奥側に突起２２ｃを乗り越える。また、支持部２８の先端部２８ｂは、側部２２ｂが縮径するテーパに沿って内側に曲がる。また、弾性部２９は、本体部２２の奥側に伸びる。これにより、保護部２６も、押し釦２４側に移動し、保護部２６は、キャップ２５に当たってキャップ２５と共に押し釦２４を押下し、押し釦２４がスイッチ部１４の内部に挿入される。このとき、支持部２８の変曲点２８ｃが突起２２ｃを乗り越えて当接する。これにより、押し釦２４がオンされた状態となり保持され、発信機１が防災盤等に火災信号を発信する。
【００２２】
図７は、保護部２６の押下が解除された（指を離した）状態を示す図である。図７に示すように、火災信号が発信されると、人は、保護部２６から指を離して、保護部２６の押下を解除する。押下式スイッチ５は自己保持型であるため、押し釦２４はスイッチ部１４の内部に挿入されたままである。なお、支持部２８の変曲点２８ｃが突起２２ｃを乗り越えて、突起２２ｃに引っ掛かって保持されている。また、弾性部２９は、本体部２２の奥側に伸びた状態が維持されている。これにより、保護部２６も、キャップ２５に当たったまま移動しない。このように、押し釦２４が押下されて火災信号が発信されると、保護部２６が本体部２２の内部に押し込まれたままとなる。このため、発信機１を操作した人以外の第３者でも、発信機１が、火災信号を発信した発信機１か否かを目視にて瞬時に認識することができる。
【００２３】
図８は、発信機１の復旧時に保護部２６が押し釦２４側に再度押下される状態を示す図である。図８に示すように、火災信号が発信された後、発信機１が復旧される際、人は、指で保護部２６を押下する。このとき、押下式スイッチ５において、押し釦２４がスイッチ部１４の内部から突出する方向に復元力が発生する。また、保護部２６と共に支持部２８が更に本体部２２の奥側に移動し、支持部２８の先端部２８ｂは、更に本体部２２の奥側に押し込まれる。このとき、支持部２８の先端部２８ｂには、保護部２６が本体部２２から離れる方向に移動しようとする復元力が発生する。更に、保護部２６の移動と共に弾性部２９が押し釦２４側に更に伸びる。これにより、弾性部２９には、伸びる力と逆の方向である枠部２３側に縮もうとする復元力が発生する。
【００２４】
図９は、保護部２６が元の位置に戻った状態を示す図である。図９に示すように、押し釦２４の復元力、支持部２８の先端部２８ｂの復元力及び弾性部２９の復元力によって、支持部２８の変曲点２８ｃが本体部２２の奥側から枠部２３側に突起２２ｃを乗り越え、更に先端部２８ｂが本体部２２の奥側から枠部２３側に突起２２ｃを乗り越えて、監視状態における位置と同様の位置に戻る。このとき、支持部２８の先端部２８ｂは、本体部２２の側部２２ｂのテーパに沿って広がる力も加わって移動する。また、弾性部２９も、監視状態における位置と同様の位置に戻る。これにより、保護部２６が元の位置に戻り、復旧作業が完了する。
【００２５】
本実施の形態１によれば、保護部２６は、支持部２８によって支持されている。そして、支持部２８の先端部２８ｂ及び変曲点２８ｃは、保護部２６が押し釦２４側に押下されて枠部２３側から本体部２２の奥側に突起２２ｃを乗り越えても、保護部２６が押し釦２４側に再度押下されることによって本体部２２の奥側から枠部２３側に突起２２ｃを乗り越える。これにより、保護部２６は元の位置に戻る。よって、火災信号が発信された後の復旧時に、化粧板２７及び枠部２３等を取り外す必要がないため、復旧時の作業が簡易である。
【００２６】
従来、押下式スイッチが押下されると、保護板が枠部材から外れて、取付部材の内部に落下して留まる発信機が知られている。この発信機は、火災信号が発信された後の復旧時において、枠部材を取り外して保護板を取り出し、再度枠部材に装着して、枠部材を取り付ける必要がある。これに対し、本実施の形態１は、化粧板２７及び枠部２３等を取り外す必要がないため、復旧時の作業が簡易である。更に、従来、発信機として、ビル用の発信機が知られている。ビル用の発信機には、リセットボタンが操作されることによって、押下式スイッチが復旧するものがあるが、防水型の発信機にビル用の発信機と同様のリセットボタンによる復旧方法を適用しようとしても、リセットボタン式の場合、保護部の下部を回転軸に上方を押し込む構成のため、防水型発信機に採用されている押下式スイッチに適用しても押し釦をオン状態まで押し込めない。このため、適用することができない。そこで、本実施の形態１のように、支持部２８によって保護部２６を支持する構成とすれば、ビル用の発信機のようなリセットボタン式を採用しなくても、簡易に復旧することができる。また、従来、押し釦が押下されると、保護板が破れる発信機が知られている。この発信機は、一度使用されると保護板が破れるため、復旧時に新しい保護板に交換する必要がある。これに対し、本実施の形態１は、保護部２６が破壊されないため、保護部２６を再利用することができ、コストを削減することができる。
【００２７】
また、支持部２８は、湾曲しており、例えば基端部２８ａから放物線を描いて外側に広がって変曲点２８ｃに至り、変曲点２８ｃから内側に放物線を描いて先端部２８ｂに至るものである。これにより、支持部２８の先端部２８ｂが本体部２２の側部２２ｂに食い込み易い。また、変曲点２８ｃが突起２２ｃを乗り越えて保持される。このため、支持部２８の先端部２８ｂが側部２２ｂに保持され易くなる。
【００２８】
更に、発信機１は、枠部２３と保護部２６とを接続し、枠部２３側に向かって縮んでいる弾性部２９を更に備え、弾性部２９は、保護部２６が押し釦２４側に押下されることによって、本体部２２の奥側に伸びた状態が維持され、保護部２６が押し釦２４側に再度押下されることによって、本体部２２の奥側に伸びた状態が解除されて枠部２３側に向かって縮むものである。このように、弾性部２９の復元力によって、復旧作業が更に容易になる。なお、弾性部２９は、省略してもよい。この場合でも、押し釦２４の復元力及び支持部２８の復元力によって、復旧作業は容易である。
【符号の説明】
【００２９】
１  発信機、２  防災設備、３  筐体、３ａ  開口、４  扉、４ａ  取っ手、５  押下式スイッチ、１１  発信部、１２  ベース、１２ａ  パッキン、１３  押さえ板、１４  スイッチ部、１５  カバー、１６  螺子、２１  操作部、２２  本体部、２２ａ  中空部、２２ｂ  側部、２２ｃ  突起、２２ｄ  本体開口、２３  枠部、２３ａ  枠開口、２４  押し釦、２５  キャップ、２６  保護部、２７  化粧板、２７ａ  取付穴、２８  支持部、２８ａ  基端部、２８ｂ  先端部、２８ｃ  変曲点、２８ｄ  接触面、２９  弾性部、２９ａ  頂点、３０  端子部。
【図１】
0006687468.tif 000002
【図２】
0006687468.tif 000003
【図３】
0006687468.tif 000004
【図４】
0006687468.tif 000005
【図５】
0006687468.tif 000006
【図６】
0006687468.tif 000007
【図７】
0006687468.tif 000008
【図８】
0006687468.tif 000009
【図９】
0006687468.tif 000010